(57)【特許請求の範囲】
【請求項１】
所定の開口部を具えて突き合わされた２つの野地板と、
前記開口部の上方に取り付けられた板金棟と、
前記板金棟と前記野地板との間に設けられた棟通気部材と、
前記開口部の周囲の前記野地板上に設けられ、上縁が前記棟通気部材の下面に固定された水切り部材と、を備え、
前記板金棟は、頂部と、該頂部から左右に設けられた主傾斜部と、該主傾斜部の下端で屈曲して下方に延びる縦壁部と、該縦壁部の下端で屈曲し外方に延びる副傾斜部とを有し、
前記棟通気部材は、２枚の対向して配された防水性薄板と、前記２枚の防水性薄板の間に該防水性薄板間における通気を可能とする保持部材とを具備し、
更に前記棟通気部材は、前記主傾斜部の下方に、該主傾斜部に沿って設けられた第３通気部材と、前記副傾斜部と前記野地板との間に、前記副傾斜部に沿って設けられた第１通気部材及び前記第１通気部材と前記第３通気部材の間に、前記縦壁部に沿って設けられた第２通気部材の少なくともいずれか一方と、を具備し、
２つの前記野地板の突合せ部分を傾斜させ、前記野地板の突合せ部分に、小屋裏に連通する前記開口部を備えた下り棟であり、
前記水切り部材は、前記開口部の周囲を囲うとともに、少なくとも該開口部の上部に、前記下り棟の傾斜方向上方に向けて尖らせた形状であり、前記野地板上に設け、該水切り部材の上部を前記棟通気部材に取り付けたことを特徴とする換気棟。
【請求項２】
少なくとも前記防水性薄板の一方を残して、前記棟通気部材を破断し、前記一方の防水性薄板を屈曲させて、前記第１通気部材と前記第２通気部材と前記第３通気部材の少なくとも１つを形成したことを特徴とする請求項１に記載の換気棟。
【請求項３】
前記棟通気部材には、破断する破断線を複数形成し、形成された破断線を選択して、該棟通気部材を任意の位置で屈曲可能としたことを特徴とする請求項２に記載の換気棟。
【請求項４】
少なくとも前記防水性薄板の一方を残して他方の防水性薄板を切除して下面中央に開口面を形成し、前記開口面の両側に前記第３通気部材を形成させたことを特徴とする請求項１〜３のいずれか１項に記載の換気棟。
【請求項５】
２つの野地板の突合せ部分を傾斜させ、前記野地板の突合せ部分に、小屋裏に連通する開口部を備えた下り棟であり、
下面に設けられた開口面と側端面との間で少なくとも通気可能な下り棟通気部材を、前記野地板上で、前記開口面を前記開口部に合わせて該開口部を覆うように設け、
前記開口部の、前記下り棟の傾斜方向上方に、上方に向けて尖らせた水切部材を設け、更に、前記下り棟通気部材から延びる庇部分を前記水切部材の上部に取り付け、
屋根部材を前記下り棟通気部材の上方に設けたことを特徴とする下り棟用換気棟。
【発明の詳細な説明】
【技術分野】
【０００１】
本発明は、野地板の間に開口部を設け、この開口部を通して建物内の換気を行う換気棟及び下り棟用換気棟に関する。
【背景技術】
【０００２】
屋根の棟を通して建物内の換気を可能とした換気棟が知られている。換気棟としては、例えば左右の野地板を所定の開口部を空けて突合せ、野地板の開口部の上に冠瓦を、冠瓦の下部を開放させて取り付けた構造がある。
【０００３】
更に換気棟としては、野地板間に設けられた開口部を通して雨水が建物内に浸入しないように各種の構造が知られている。一例として、冠瓦と棟木との間に、有通気性遮水板（以下、「遮水板」とする。）を設けたものが知られている。この遮水板は、例えばアルミ板など軽金属製薄板に通気孔を多数形成し、棟木と冠瓦の間に取り付け、棟における通気を確保させるとともに通気孔を適切に設定することにより建物の内部に雨水が浸入するのを防止した部材である。また近年下り棟においても、換気可能な構造を設けることが望まれている。
【先行技術文献】
【特許文献】
【０００４】
【特許文献１】特開２００８−２０８６１８号公報
【発明の概要】
【発明が解決しようとする課題】
【０００５】
しかしながら、棟に換気構造を構成するのは、施工に手間がかかり、部品点数が多くなるため、コストも大きくなっていた。また、強風時においても雨水が建物内に浸入しないように構成する必要がある。
【０００６】
また下り棟においては、野地板の開口部が下り棟に沿って傾斜していることから、換気棟は、下り棟を流下してくる雨水を確実に遮り、開口部を通して建物内部に雨水が浸入しないようにする構造を必要としていた。
【０００７】
本発明は上記課題を解決し、施工が容易で、部品点数が少なく、コストが低い換気棟を提供することを目的とする。
【課題を解決するための手段】
【０００８】
上記の課題を解決するため、本発明では換気棟及び下り棟用換気棟をそれぞれ次のように構成した。  
２つの野地板の突き合わせ部分に、小屋裏に通じる所定の開口部を設け、開口部の上に換気板金棟を取り付ける。開口部の周囲には、開口部の周囲から立ち上げ、上端を換気板金棟に連結させた水切部材を取り付ける。
【０００９】
換気板金棟は、板金棟と棟通気部材から構成されている。板金棟は、例えば板金を折り曲げ、頂部から左右に傾斜する主傾斜部と、それぞれの主傾斜部の端部に設けられた縦壁部と、縦壁部からそれぞれ外方に延びる副傾斜部とから形成されている。
【００１０】
棟通気部材は、例えば市販の樹脂製板材から形成されている。樹脂製板材は、２枚の合成樹脂製の板材の間に保持部材を設け、保持部材により２枚の合成樹脂製の板材を所定の間隔で保持した構造となっている。また保持部材は、２枚の合成樹脂製の板材の間に適度な間隔で設けられ、板材の間での通気を可能としている。尚、樹脂製板材の構造は、特に限定するものではない。
【００１１】
棟通気部材は板金棟の裏側に設けられている。また棟通気部材は、板金棟の各部に対応した、第１通気部材と第２通気部材と第３通気部材から形成されている。第１通気部材は、副傾斜部に対応し、第２通気部材は、縦壁部に対応し、第３通気部材は、主傾斜部に対応して設けられている。
【００１２】
第１通気部材は、副傾斜部の下面に設けられ、一端面を副傾斜部の外方端部に位置させ、他端面を副傾斜部の内側の端部近傍に位置させてある。第２通気部材は、縦壁部の内側に沿って設けられている。第２通気部材の一端面は、第１通気部材の他端面に対向してあり、他端面が縦壁部の上部に設けられている。第３通気部材は、換気板金棟の主傾斜部に沿って設けられ、一端面を第２通気部材の他端面に対向させ、他端面を野地板に形成された開口部の上方に位置させてある。また開口部の周囲には、水切部材が設けられている。水切部材の下部は、開口部の周囲に取り付けられ、上部は、第３通気部材の他端面の内側に設けられている。
【００１３】
下り棟においては、下り棟に形成された開口部の上部に、上記構成の換気板金棟を取り付け、かつ開口部の周囲に水切部材を設ける。水切部材は、少なくとも下り棟に沿って設けられ、野地板と通気部材との間を水密に閉鎖させている。更に水切部材は、傾斜の上方の端縁が、上方に向かって尖った形状を有している。
【００１４】
また下り棟では、換気板金棟に代えて下り棟通気部材を、野地板に形成された開口部の部分に直接設けてもよい。下り棟通気部材は、上面は防水性を具え、下り棟通気部材の周縁と下面の開口面とが連通した構成となっている。下面の開口面は、野地板の開口部に対応して設けられている。下り棟通気部材の上には、屋根部材が設けられる。更に下り棟通気部材には、少なくとも上部端縁に、水切部材を設ける。この水切部材は、上方に向けて尖った形状であり、上方から流れ落ちてくる水を斜め下方に流す構造となっている。
【発明の効果】
【００１５】
本発明にかかる換気棟及び下り棟用換気棟は、それぞれ次のような効果を有している。
【００１６】
野地板に形成された開口部は、換気板金棟により覆われ、雨水などが直接浸入することはない。野地板間の開口部から室内空気が排出されると、空気は第３通気部材の端面から第３通気部材内に進入し、第２通気部材を通過して、第１通気部材の端面から大気に放出される。また、逆の経路をたどり、外気が換気棟の内部に入り、開口部を通して小屋裏に入る。これにより、換気板金棟を介して建物の換気がなされる。
【００１７】
一方雨水は、横風等により第１通気部材を通過しても、第２通気部材が立上っていることから、雨水は第２通気部材を容易に通過しない。仮に雨水が第２通気部材を通過し第３通気部材に到達しても、第３通気部材を通過して第３通気部材の上部開口端から落下することはほとんどなく、雨水等が開口部から建物内部に侵入することはない。したがって、換気板金棟による換気棟では、換気が十分に行なわれ、雨水などの浸入は確実に遮断できる。
【００１８】
換気板金棟は、従来からの板金棟に、棟通気部材を組み付けるだけであるので、コストと手間を大幅に低減できる。第１から第３の通気部材は、例えば市販の樹脂製板材に切れ目を入れ、折り曲げて形成でき、容易にかつ低価格で形成できる。また切れ目を複数形成し、状況に応じて切れ目を選択して折り曲げることにより、形状の異なる各種板金棟に対応させることができる。
【００１９】
また、下り棟通気部材には、野地板と通気部材の間が水密に閉鎖されているので、屋根部材に段差が形成されていても、開口部から水を浸入させない。また、開口部の上部に水切部材が設けられているので、下り棟に沿って流下する水を水切部材が遮り、開口部内に雨水などを浸入させることない。また、下面の開口面と端面とが連通しているので、下り棟において十分に換気を行なわせることができる。
【図面の簡単な説明】
【００２０】
【図１】本発明にかかる換気棟の一実施形態を示す断面図である。
【図２】図１に示す換気棟の分解断面図である。
【図３】図１に示す換気棟の斜視断面図である。
【図４】図３に示す換気棟の分解斜視図である。
【図５】棟通気部材を示す断面図である。
【図６】換気板金棟の他の例を示す断面図である。
【図７】換気棟の他の例を示す断面図である。
【図８】換気棟の他の例を示す断面図である。
【図９】水切板を示す斜視図である。
【図１０】下り棟を示す斜視図である。
【図１１】棟通気部材の他の例を示す斜視図である。
【図１２】下り棟用換気棟の他の例を示す断面図である。
【図１３】水切板を示す斜視図である。
【発明を実施するための形態】
【００２１】
本発明にかかる換気棟の一実施形態について説明する。  
図１に、換気棟１０を示す。換気棟１０は、換気板金棟１２と、台木１６と、水切部材としての水切板１８と、野地板２０と、屋根部材２２などから構成されている。
【００２２】
２枚の野地板２０は、棟木（図示せず。）に支持され、上方で所定の角度で突き合わされている。野地板２０の突き合せ部には、所定の幅を有する開口部２４が形成してある。開口部２４は、建物の小屋裏（図示せず。）に通じている。
【００２３】
換気板金棟１２は、図２に示すように板金棟２６と棟通気部材２８から構成されている。板金棟２６は、金属製の細長い部材で、プレス加工等により形成されている。板金棟２６は、図３及び図４に示すように、頂部３０と、主傾斜部としての主傾斜板３２と、縦壁部としての縦壁３４と、副傾斜部としての副傾斜板３６などから構成されている。主傾斜板３２は、頂部３０から左右に均等に傾斜している。
【００２４】
主傾斜板３２は、下端で下方に屈曲し、縦壁３４に連結している。縦壁３４は所定の長さを有し、下端で外方に屈曲し副傾斜板３６に連結している。副傾斜板３６は、縦壁３４から所定の長さ外方に延びている。板金棟２６は、通常は複数の板金棟２６を長手方向に組み合わせて使用する。板金棟２６は、市販の板金棟を用いることができる。尚板金棟２６は、金属製でなくともよい。
【００２５】
棟通気部材２８は、樹脂製の板材から形成されている。棟通気部材２８は、図５に示すように２枚の平行に配された防水性薄板４０と、２枚の防水性薄板４０の間に設けられた複数の保持部材４２から形成されている。防水性薄板４０は、例えば合成樹脂材から形成され、所定の厚みを有している。保持部材４２は、例えば、円錐台状の突起を組み合わせて形成され、熱溶着、接着等により防水性薄板４０に固着されている。
【００２６】
保持部材４２は、棟通気部材２８に厚み方向にかかる荷重を支持し、かつ保持部材４２が所定の空隙をもって形成されていることにより、２枚の防水性薄板４０で挟まれた空間を通気可能にしている。棟通気部材２８は、いずれの端面も内部に通じる通気性を有しているが、表裏方向には通気性を有していない。棟通気部材２８は、図１や図３に示すように、板金棟２６の形状に合わせて形成されている。尚、防水性薄板４０は、２枚でなく、１枚とし、一方を板金棟２６の内面を用いるようにしてもよい。
【００２７】
次に、棟通気部材２８について具体的に説明する。棟通気部材２８は、第１通気部材５０と、第２通気部材５２と、第３通気部材５４に区分されている。第１通気部材５０は、副傾斜板３６に対応して形成してあり、換気板金棟１２を棟に取り付けると副傾斜板３６と屋根部材２２の間に位置し、一端面を副傾斜板３６と屋根部材２２の間から板金棟２６の外方に臨ませている。第１通気部材５０の他端は、縦壁３４と副傾斜板３６の屈曲部分に位置している。
【００２８】
第２通気部材５２は、縦壁３４に対応して設けられている。第２通気部材５２の一端面は、縦壁３４の下部で第１通気部材５０の他端面と対向し、他端面が、縦壁３４の上部で、第３通気部材５４の一端面と対向している。
【００２９】
第３通気部材５４は、主傾斜板３２に対応して設けられている。第３通気部材５４の一端面は、主傾斜板３２の下部で、第２通気部材５２の他端面と対向し、第３通気部材５４の他端面は、開口部２４の上方に位置している。これら第１通気部材５０と、第２通気部材５２と、第３通気部材５４は、樹脂製の板材に切れ目を入れ、図５に示すように防水性薄板４０を屈曲させることにより連続して形成されている。棟通気部材２８は左右対称に１対設けられている。
【００３０】
次に、棟通気部材２８の成形方法について説明する。まず、棟通気部材２８と同一の素材からなる樹脂製の板材を用意する。樹脂製の板材は、市販のものでよい。板材を、例えば板金棟２６と同等の長さとし、幅を第１通気部材５０と第２通気部材５２と第３通気部材５４の各幅を加算した値となるよう切断する。そして、長手方向に沿った側縁から第１通気部材５０の幅と同じ長さの位置で、側縁に沿ってカッター等で表面の防水性薄板４０と保持部材４２とを切断する。その際、一方の防水性薄板４０は切断せず残す。この位置での切断線を第１切断線６０とする。
【００３１】
また、第１切断線６０から第２通気部材５２の幅と同じ長さの位置で、同様にして第２切断線６２を形成する。第２切断線６２は、第１切断線６０とは表裏逆側から形成する。第１切断線６０と第２切断線６２で板材を折り曲げると、切断されていない防水性薄板４０が屈曲し、図５に示すように各切断線を中心として切断面が所望の角度で開かれる。また、これと左右対称にして、同様に他方の棟通気部材２８を形成する。尚棟通気部材２８の成形方法は、かかる方法に限るものではない。個別に切断されたものを接着して形成してもよい。
【００３２】
水切板１８は、例えば金属板材からなり、開口部２４の周囲を囲うように設けられている。水切板１８の下端は、野地板２０上に屹立させた状態で釘などにより固定されている。水切板１８の上縁は、棟通気部材２８の下面に固定されている。
【００３３】
次に、換気棟１０の作用、効果について説明する。
【００３４】
換気棟１０において建物内の空気（「室内空気」とする。）は、図１の点線の矢印で示すように野地板２０間に設けられた開口部２４を通って野地板２０上に流出する。野地板２０上に流出した室内空気は、第３通気部材５４の一端から第３通気部材５４の内部に入り、内部を通って他端の開口から流出する。
【００３５】
第３通気部材５４の他端（下方の端部である。）から流出した室内空気は、縦壁３４に沿って流れが屈曲され、第２通気部材５２の内部を通って、第２通気部材５２の他端面から流出する。
【００３６】
第２通気部材５２の他端面から流出した室内空気は、屋根部材２２と副傾斜板３６により流れが屈曲され、第１通気部材５０の一端面から第１通気部材５０の内部に流入する。第１通気部材５０の内部に流入した室内空気は、第１通気部材５０の他端面から建物外に流出し、小屋裏から室内空気が大気中に放出される。また、上記経路と逆の経路をたどり、外気が小屋裏内に流入される。
【００３７】
更に、換気棟１０は、通気通路が第１通気部材５０と第２通気部材５２と第３通気部材５４からなり、それらが、下方から上方に順次屈曲して設けられていることから、たとえ風が強く吹き、風が各通路を連続して通過したとしても、雨滴は、途中で保持部材４２等に当接して第３通気部材５４の端縁まで到達せず防水性薄板４０上に落水する。そして防水性薄板４０の内面を伝わり、第１通気部材５０等を通って、屋根部材２２（瓦等）の上に流れ落ちる。したがって換気棟１０は、小屋裏など建物内部と外気とを互いに流通させるが、雨滴などの水分の建物内への流入を遮断する。
【００３８】
したがって、換気棟１０によれば、通気路が十分に形成され、確実に換気作用が行なわれるとともに、雨水の浸入を防ぎ、開口部２４における防水を確実に行なわせることができる。
【００３９】
図６に、換気板金棟の他の例を示す。これは、左右の棟通気部材２８を１枚の樹脂製の板材から形成した例である。まず板材を、板金棟２６の下面に沿って取り付けた場合の全体の長さ幅に形成し、左右の端部に、第１切断線６０と第２切断線６２とをそれぞれ形成する。そして更に、板材中央の下面の防水性薄板４０、及び必要に応じて保持部材４２を切除し開口６４を形成する。
【００４０】
このようにして形成した板材を、中央部６６で折り曲げ、そして第１切断線６０と第２切断線６２で屈曲させる。すると形成された棟通気部材２８は中央部６６で左右が連続しているので、取り扱いや取り付け作業等が容易になる。また、板材の中央部分を切除することで開口６４等が形成されるとともに、折り曲げ可能に形成されるので、容易にかつ安価で提供できる。尚、中央部分での切除は、棟通気部材２８内部への開口６４が形成でき、かつ中央部６６での折り曲げ加工が可能であればその切除の方法や端面の形状等は特に問わない。
【００４１】
図７に換気棟の他の例を示す。この換気棟１１は、上記換気棟１０から、第２通気部材５２を除去した構成となっている。このように構成すると、第１通気部材５０と第３通気部材５４との間で上下方向に段差が形成されるので、通気が確保されるが、段差を超えて水が通過しにくくなっており、防水性が確保される。
【００４２】
図８に更に、換気棟の他の例を示す。この換気棟１３は、上記換気棟１０から、第１通気部材５０を除去した構成となっている。このように構成しても、第２通気部材５２と第３通気部材５４との間で屈曲した通路が形成されるので、通気が確保されるが、屈曲通路を超えて水が通過しにくくなっており、防水性が確保される。
【００４３】
次に、下り棟における換気棟の例について説明する。図１０に下り棟７０を示す。下り棟７０は、屋根面と屋根面の接合部分で、所定の角度で傾斜した棟である。
【００４４】
下り棟７０の野地板２０の突き合わせ部分に、開口部２４を形成する。開口部２４の外周部分に、図９に示す水切板７２を取り付ける。水切板７２は、開口部２４の側方、すなわち下り棟７０に沿って設けられた左右一対の側壁７４と、開口部２４の上部に設けられた上壁７６と下部に設けられた下壁７８（図８参照。）から構成されている。
【００４５】
各側壁７４、上壁７６、下壁７８には、上端と下端の双方に、各上端と下端から外方に延びる取付片７３と７１が設けられている。水切板７２は、これら左右一対の側壁７４と上壁７６と下壁７８によって開口部２４の周囲を囲っている。
【００４６】
水切板７２の下端は、取付片７１により野地板２０上に固定してあり、水切板７２の上端縁は、取付片７３及び取付片７３に取り付けられたスポンジ状の封止部材８５（図１３参照。）により換気板金棟１２の通気部材５４に水密に密着させてある。
【００４７】
下り棟７０において屋根部材２２は、一部を他の屋根部材２２に重ねるようにして葺かれている。そのため、下り棟７０に沿った方向では、２枚の屋根部材２２が重ねられた箇所と３枚の屋根部材２２が重ねられた箇所が交互に現れる。したがって下り棟７０の開口部２４に沿って台木１６を取り付けると、屋根部材２２の積層枚数が少ない箇所では、台木１６と屋根部材２２との間に空隙が形成される。
【００４８】
台木１６に下り換気棟を設けても、台木１６と屋根部材２２との間に形成されている空隙を通って水が換気板金棟１２の内側に浸入することが発生する。しかしながら、水切板７２が、開口部２４の周囲に、野地板２０から第３通気部材５４の下面まで密着して取り付けられているので、台木１６と屋根部材２２との間に空隙が形成されていても、水切板７２が水の通過を遮り、雨水などを開口部２４内に浸入させない。
【００４９】
これにより換気板金棟１２を介して換気及び遮水ができ、しかも下り棟７０において、たとえ屋根部材２２の下部に雨水が流れ込み、野地板２０に取り付けられた防水布の上を水が流れたとしても、水は水切板７２で遮られ、開口部２４を通して建物の内部に侵入することがない。
【００５０】
更に上壁７６は、上方に尖った形で折曲していることから、上部から流れ落ちてきた水を左右に振り分け、開口部２４からの水の流入を効果的に防止することができる。
【００５１】
次に、換気棟の他の例について説明する。
【００５２】
図１２に、下り棟８０を示す。この例は、下り棟通気部材８２と水切板８４を瓦８６の下部に設けた例である。下り棟８０には、上述したと同様、開口部２４が形成してあり、開口部２４を塞ぐようにして下り棟通気部材８２が取り付けられている。
【００５３】
下り棟通気部材８２は、図１１に示すように断面山形の長尺な部材で、上面に平板部材８８を配し、平板部材８８の下面の両側に通気部材９０を設けた構成を有している。平板部材８８は、防水性を有する板状部材であり、通気部材９０は上述した通気部材５０等と同等の構成の通気性部材である。通気部材９０の間が開口面となっている。
【００５４】
図１３に、水切板８４を示す。水切板８４は、Ｖ字状で、少なくとも開口部２４の傾斜に沿った上方に取り付けられている。水切板８４は、図に示すように下り棟８０に取り付けると、稜線部分から斜め下方に延びるように形成されている。また、水切板８４の上縁には、スポンジ状に形成された封止部材８５が取り付けられている。封止部材８５は、適度に変形可能で、かつ十分な水密性を有している。
【００５５】
更に下り棟通気部材８２には、庇部材９２が設けられている。庇部材９２は平板部材８８が前方に延びて設けられている。庇部材９２は、下り棟通気部材８２に沿って山型に折れ曲がっており、下り棟通気部材８２から下り棟８０の上方に延び水切板８４の上部を覆っている。尚、庇部材９２は、下り棟通気部材８２の下部に上部と同様に設けてもよい。
【００５６】
下り棟通気部材８２及び水切板８４を上述したように下り棟８０の開口部２４に取り付けたなら、図１２に示すように屋根部材としての瓦８６を葺き、その上に冠瓦９４を取り付ける。
【００５７】
次に、上記下り棟８０における換気作用について説明する。
【００５８】
小屋裏の空気は、下り棟通気部材８２の下面に設けられた開口部２４から通気部材９０の内部に流入し、通気部材９０の端縁を通して瓦８６の下部に流出し、瓦８６の隙間などを通り大気に放出される。また瓦８６の下部にある空気は、上記と逆の経路を通って小屋裏内に流入する。そして、野地板２０に張られた防水布の上を流れてきた水は、水切板８４で遮られ、屋根の勾配に沿って落下する。これにより開口部２４内に水が流下することはない。また、下り棟通気部材８２の側面は、開口されているが、側面から開口部２４までは、登り勾配となるため、流下してきた水が通気部材９０を通って開口部２４の内部に流入することはない。
【産業上の利用可能性】
【００５９】
本発明は、建物の換気棟に用いることができる。
以下に、本願出願の当初の特許請求の範囲に記載された発明を付記する。
［１］  所定の開口部を具えて突き合わされた２つの野地板と、
前記開口部の上方に取り付けられた板金棟と、
前記板金棟と前記野地板との間に設けられた棟通気部材とを備え、
前記板金棟は、頂部と、該頂部から左右に設けられた主傾斜部と、該主傾斜部の下端で屈曲して下方に延びる縦壁部と、該縦壁部の下端で屈曲し外方に延びる副傾斜部とを有し、
前記棟通気部材は、２枚の対向して配された防水性薄板と、前記２枚の防水性薄板の間に該防水性薄板間における通気を可能とする保持部材とからなり、
更に前記棟通気部材は、前記主傾斜部の下方に、該主傾斜部に沿って設けられた第３通気部材及び、前記副傾斜部と前記野地板との間に、前記副傾斜部に沿って設けられた第１通気部材と、前記第１通気部材と前記第３通気部材の間に、前記縦壁部に沿って設けられた第２通気部材の少なくともいずれか一方からなることを特徴とする換気棟。
［２］  少なくとも前記防水性薄板の一方を残して、前記棟通気部材を破断し、前記一方の防水性薄板を屈曲させて、前記第１通気部材と前記第２通気部材と第３通気部材の少なくとも１つを形成したことを特徴とする［１］に記載の換気棟。
［３］  前記棟通気部材には、破断する破断線を複数形成し、形成された破断線を選択して、該棟通気部材を任意の位置で屈曲可能としたことを特徴とする［２］に記載の換気棟。
［４］  少なくとも前記防水性薄板の一方を残して他方の防水性薄板を切除して下面中央に開口面を形成し、前記開口面の両側に前記第３通気部材を形成させたことを特徴とする［１］〜［３］のいずれか１項に記載の換気棟。
［５］  ２つの野地板の突合せ部分を傾斜させ、前記野地板の突合せ部分に、小屋裏に連通する開口部を備えた下り棟であり、
前記開口部の周囲を囲うとともに、少なくとも該開口部の上部に、前記下り棟の傾斜方向上方に向けて尖らせた水切部材を、前記野地板上に設け、該水切部材の上部を前記棟通気部材に取り付けたことを特徴とする［１］〜［４］のいずれか１項に記載の換気棟。
［６］  ２つの野地板の突合せ部分を傾斜させ、前記野地板の突合せ部分に、小屋裏に連通する開口部を備えた下り棟であり、
下面に設けられた開口面と側端面との間で少なくとも通気可能な下り棟通気部材を、前記野地板上で、前記開口面を前記開口部に合わせて該開口部を覆うように設け、
前記開口部の、前記下り棟の傾斜方向上方に、上方に向けて尖らせた水切部材を設け、更に、前記下り棟通気部材から延びる庇部分を前記水切部材の上部に取り付け、
屋根部材を前記下り棟通気部材の上方に設けたことを特徴とする下り棟用換気棟。
【符号の説明】
【００６０】
１０…換気棟
１２…換気板金棟
１８…水切板
２４…開口部
２６…板金棟
２８…棟通気部材
３０…頂部
３２…主傾斜板
３４…縦壁
３６…副傾斜板
４０…防水性薄板
４２…保持部材
５０…第１通気部材
５２…第２通気部材
５４…第３通気部材
６０…第１切断線
６２…第２切断線
６６…中央部
７０…下り棟
７２…水切板
８２…下り棟通気部材
８４…水切板
８８…平板部材
９０…通気部材
９２…庇部材
【図１】
0005765725.tif 000002
【図２】
0005765725.tif 000003
【図３】
0005765725.tif 000004
【図４】
0005765725.tif 000005
【図５】
0005765725.tif 000006
【図６】
0005765725.tif 000007
【図７】
0005765725.tif 000008
【図８】
0005765725.tif 000009
【図９】
0005765725.tif 000010
【図１０】
0005765725.tif 000011
【図１１】
0005765725.tif 000012
【図１２】
0005765725.tif 000013
【図１３】
0005765725.tif 000014